【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
セルラーネットワークとワイヤレスローカルアクセスネットワーク（ＷＬＡＮ）との間の通信を伝送する方法において、
第１のワイヤレスデバイスで前記セルラーネットワークの共通通信チャネル上でＷＬＡＮ通知を受信し、前記ＷＬＡＮ通知は拡張サービスセット識別名（ＥＳＳＩＤ）はＷＬＡＮに対応し、
ＷＬＡＮ通知に基づいて、第２のワイヤレスデバイスが前記ＷＬＡＮのＷＬＡＮビーコンのスキャンを可能にする命令を送信する方法。
【請求項２】
前記ＷＬＡＮ通知の受信の通知を伝送することをさらに具備する請求項１記載の方法。
【請求項３】
前記第１のワイヤレスデバイスを前記セルラーネットワークから切断するための命令を受信し、
前記セルラーネットワークから前記第１のワイヤレスデバイスを切断することをさらに具備する請求項１記載の方法。
【請求項４】
前記セルラーネットワークとの通信を再開する命令を受信し、
前記セルラーネットワークとの通信を再確立することをさらに具備する請求項３記載の方法。
【請求項５】
前記ＷＬＡＮ通知を受信することは、前記ＷＬＡＮ通知を定期的に受信することを含む請求項１記載の方法。
【請求項６】
前記ＷＬＡＮ通知を受信することは、ＷＬＡＮを前記セルラーネットワークとローミング合意を有することとして識別することを含む請求項１記載の方法。
【請求項７】
前記第１のデバイスは、ＰＣカード、コンパクトフラッシュ（登録商標）、外部モデム又は内部モデムのうちの１つである請求項１記載の方法。
【請求項８】
前記第２のデバイスは、ラップトップコンピュータである請求項１記載の方法。
【請求項９】
ＥＳＳＩＤをＥＳＳＩＤリストと比較し、
ＥＳＳＩＤリストにおけるＥＳＳＩＤに合致するＷＬＡＮ通知におけるＥＳＳＩＤに応答して、前記命令を送信することを実行する請求項１記載の方法。
【請求項１０】
前記ＷＬＡＮ通知は、前記ＷＬＡＮをサポートするアクセスポイント（ＡＰ）の位置情報を含む請求項１記載の方法。
【請求項１１】
前記位置情報を前記第１のワイヤレスデバイスの現在位置と比較し、
前記第１のワイヤレスデバイスの現在位置が前記ＡＰと近接しているか否かを決定することをさらに具備する請求項１０記載の方法。
【請求項１２】
前記位置情報は、前記ＡＰの緯度及び経度を含む請求項１０記載の方法。
【請求項１３】
前記第２のワイヤレスデバイス上のＡＰの位置情報を表示することをさらに具備する請求項１０記載の方法。
【請求項１４】
セルラーネットワークとワイヤレスローカルアクセスネットワーク（ＷＬＡＮ）との間の通信を伝送する装置において、
第１のワイヤレスデバイスで前記セルラーネットワークの共通通信チャネル上でＷＬＡＮ通知を受信する手段と、前記ＷＬＡＮ通知は拡張サービスセット識別名（ＥＳＳＩＤ）はＷＬＡＮに対応し、
ＷＬＡＮ通知に基づいて、第２のワイヤレスデバイスが前記ＷＬＡＮのＷＬＡＮビーコンのスキャンを可能にする命令を送信する手段と
を具備する装置。
【請求項１５】
前記ＷＬＡＮ通知の受信の通知を伝送する手段をさらに具備する請求項１４記載の装置。
【請求項１６】
前記第１のワイヤレスデバイスを前記セルラーネットワークから切断するための命令を受信する手段と、
前記セルラーネットワークから前記第１のワイヤレスデバイスを切断する手段と
をさらに具備する請求項１４記載の装置。
【請求項１７】
前記セルラーネットワークとの通信を再開する命令を受信する手段と、
前記セルラーネットワークとの通信を再確立する手段と
をさらに具備する請求項１６記載の装置。
【請求項１８】
前記ＷＬＡＮ通知を定期的に受信する手段を含む請求項１４記載の装置。
【請求項１９】
ＷＬＡＮを前記セルラーネットワークとローミング合意を有することとして識別する手段を含む請求項１４記載の装置。
【請求項２０】
前記第１のデバイスは、ＰＣカード、コンパクトフラッシュ、外部モデム又は内部モデムのうちの１つである請求項１４記載の装置。
【請求項２１】
前記第２のデバイスは、ラップトップコンピュータである請求項１４記載の装置。
【請求項２２】
ＥＳＳＩＤをＥＳＳＩＤリストと比較する手段と、
ＥＳＳＩＤリストにおけるＥＳＳＩＤに合致するＷＬＡＮ通知におけるＥＳＳＩＤに応答して、前記命令を送信することを実行する手段とをさらに具備する請求項１４記載の装置。
【請求項２３】
前記ＷＬＡＮ通知は、前記ＷＬＡＮをサポートするアクセスポイント（ＡＰ）の位置情報を含む請求項１４記載の装置。
【請求項２４】
前記位置情報を前記第１のワイヤレスデバイスの現在位置と比較する手段と、
前記第１のワイヤレスデバイスの現在位置が前記ＡＰと近接しているか否かを決定する手段をさらに具備する請求項２３記載の装置。
【請求項２５】
前記位置情報は、前記ＡＰの緯度及び経度を含む請求項２３記載の装置。
【請求項２６】
前記第２のワイヤレスデバイス上のＡＰの位置情報を表示する手段をさらに具備する請求項２３記載の装置。
【請求項２７】
命令が記録された非一時的コンピュータ読み取り可能な媒体であって、プロセッサによって実行された場合に、
前記プロセッサに、
第１のワイヤレスデバイスで前記セルラーネットワークの共通通信チャネル上でＷＬＡＮ通知を受信させ、前記ＷＬＡＮ通知は拡張サービスセット識別名（ＥＳＳＩＤ）はＷＬＡＮに対応し、
ＷＬＡＮ通知に基づいて、第２のワイヤレスデバイスが前記ＷＬＡＮのＷＬＡＮビーコンのスキャンを可能にさせる命令を具備するコンピュータ読み取り可能な媒体。
【請求項２８】
前記プロセッサによって実行された場合に、
前記プロセッサに前記ＷＬＡＮ通知の受信の通知を伝送させる命令をさらに具備する請求項２７記載のコンピュータ読み取り可能な媒体。
【請求項２９】
前記プロセッサによって実行された場合に、
前記プロセッサに、
前記第１のワイヤレスデバイスを前記セルラーネットワークから切断するための命令を受信させ、
前記セルラーネットワークから前記第１のワイヤレスデバイスを切断させる命令をさらに具備する請求項２７記載のコンピュータ読み取り可能な媒体。
【請求項３０】
前記プロセッサによって実行された場合に、
前記プロセッサに、
前記セルラーネットワークとの通信を再開する命令を受信させ、
前記セルラーネットワークとの通信を再確立させる命令をさらに具備する請求項２９記載のコンピュータ読み取り可能な媒体。
【請求項３１】
前記プロセッサによって実行された場合に、
前記プロセッサに、
前記ＷＬＡＮ通知を定期的に受信させる命令をさらに具備する請求項２７記載のコンピュータ読み取り可能な媒体。
【請求項３２】
前記プロセッサによって実行された場合に、
前記プロセッサに、
ＷＬＡＮを前記セルラーネットワークとローミング合意を有することとして識別させる命令をさらに具備する請求項２７記載のコンピュータ読み取り可能な媒体。
【請求項３３】
前記第１のデバイスは、ＰＣカード、コンパクトフラッシュ、外部モデム又は内部モデムのうちの１つである請求項２７記載のコンピュータ読み取り可能な媒体。
【請求項３４】
前記第２のデバイスは、ラップトップコンピュータである請求項２７記載のコンピュータ読み取り可能な媒体。
【請求項３５】
前記プロセッサによって実行された場合に、
前記プロセッサに、
ＥＳＳＩＤをＥＳＳＩＤリストと比較させ、
ＥＳＳＩＤリストにおけるＥＳＳＩＤに合致するＷＬＡＮ通知におけるＥＳＳＩＤに応答して、前記命令を送信させる命令をさらに具備する請求項２７記載のコンピュータ読み取り可能な媒体。
【請求項３６】
前記ＷＬＡＮ通知は、前記ＷＬＡＮをサポートするアクセスポイント（ＡＰ）の位置情報を含む請求項２７記載のコンピュータ読み取り可能な媒体。
【請求項３７】
前記プロセッサによって実行された場合に、
前記プロセッサに、
前記位置情報を前記第１のワイヤレスデバイスの現在位置と比較させ、
前記第１のワイヤレスデバイスの現在位置が前記ＡＰと近接しているか否かを決定させる命令をさらに具備する請求項３６記載のコンピュータ読み取り可能な媒体。
【請求項３８】
前記位置情報は、前記ＡＰの緯度及び経度を含む請求項３６記載のコンピュータ読み取り可能な媒体。
【請求項３９】
前記プロセッサによって実行された場合に、
前記プロセッサに、
前記第２のワイヤレスデバイス上のＡＰの位置情報を表示させる命令を含む請求項３６記載のコンピュータ読み取り可能な媒体。
【請求項４０】
セルラーネットワークとワイヤレスローカルアクセスネットワーク（ＷＬＡＮ）との間の通信を伝送するように構成された第１のワイヤレスデバイスにおいて、
前記セルラーネットワークの共通通信チャネル上でＷＬＡＮ通知を受信するように構成されたチューナと、前記ＷＬＡＮ通知は拡張サービスセット識別名（ＥＳＳＩＤ）はＷＬＡＮに対応し、
前記チューナに接続され、ＷＬＡＮ通知に基づいて、第２のワイヤレスデバイスが前記ＷＬＡＮのＷＬＡＮビーコンのスキャンを可能にする命令を送るように構成されたプロセッサと
を具備するデバイス。
【請求項４１】
前記プロセッサは、前記ＷＬＡＮ通知の受信の通知を伝送するように構成されている請求項４０記載のデバイス。
【請求項４２】
前記プロセッサは、前記第１のワイヤレスデバイスを前記セルラーネットワークから切断する命令を受信し、前記セルラーネットワークから前記第１のワイヤレスデバイスを切断するように構成されている請求項４０記載のデバイス。
【請求項４３】
前記プロセッサは、前記セルラーネットワークとの通信を再開する命令を受信するように構成され、前記チューナは、前記通信を確立する命令に基づいて、前記セルラーネットワークとの通信を再確立するように構成されている請求項４０記載のデバイス。
【請求項４４】
前記チューナは、前記ＷＬＡＮ通知を定期的に受信するように構成されている請求項４０記載のデバイス。
【請求項４５】
前記プロセッサは、ＷＬＡＮを前記セルラーネットワークとローミング合意を有することとして識別するように構成されている請求項４０記載のデバイス。
【請求項４６】
前記第１のデバイスは、ＰＣカード、コンパクトフラッシュ、外部モデム又は内部モデムのうちの１つである請求項４０記載のデバイス。
【請求項４７】
前記第２のデバイスは、ラップトップコンピュータである請求項４０記載のデバイス。
【請求項４８】
前記プロセッサは、ＥＳＳＩＤをＥＳＳＩＤリストと比較し、ＥＳＳＩＤリストにおけるＥＳＳＩＤに合致するＷＬＡＮ通知におけるＥＳＳＩＤに応答して、前記命令を送信するように構成されている請求項４０記載のデバイス。
【請求項４９】
前記ＷＬＡＮ通知は、前記ＷＬＡＮをサポートするアクセスポイント（ＡＰ）の位置情報を含む請求項４０記載のデバイス。
【請求項５０】
前記プロセッサは、前記位置情報を前記第１のワイヤレスデバイスの現在位置と比較し、前記第１のワイヤレスデバイスの現在位置が前記ＡＰと近接しているか否かを決定するように構成されている請求項４９記載のデバイス。
【請求項５１】
前記位置情報は、前記ＡＰの緯度及び経度を含む請求項４９記載のデバイス。
【請求項５２】
前記プロセッサは、前記第２のワイヤレスデバイス上のＡＰの位置情報を表示するように構成されている請求項４９記載のデバイス。